【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
送信ユーザの送信指示に基づき印刷データを送信する外部装置と通信可能な画像形成装置であって、印刷データを格納可能な格納ユニットと、印刷データに基づき画像形成する画像形成ユニットと、を用いる画像形成装置において、
制御部を有し、前記制御部は、
第１のモードと第２のモードを含む複数のモードのなかから１つのモードの設定を受け付ける処理と、
前記第１のモードが設定されている状態において、印刷の実行が指定された印刷データを外部装置から取得し、取得した印刷データに基づき前記画像形成部に画像形成させる処理と、
前記第１のモードが設定されている状態において、データの保存が指定された印刷データを外部装置から取得し、前記表示ユニットにより表示される第１の画面において印刷指示ができるように、取得した印刷データを前記格納ユニットに格納させる処理と、
前記第２のモードが設定されている状態において、印刷の実行が指定された印刷データを外部装置から取得し、前記表示ユニットにより表示される第２の画面において印刷指示ができるように、取得した印刷データを前記格納ユニットに格納させる処理と、
前記第２のモードが設定されている状態において、印刷の保存が指定された印刷データを外部装置から取得し、前記表示ユニットにより表示される前記第１の画面において印刷指示ができるように、取得した印刷データを前記格納ユニットに格納させる処理と、を実行することを特徴とする画像形成装置。
【請求項２】
前記画像形成装置は操作ユーザを送信ユーザに対応づけて認証可能な認証ユニットを使用可能であり、
前記第１の画面に表示される印刷データの情報は、認証されたユーザに関連づけられた印刷データの情報であり、
前記第２の画面に表示される印刷データの情報は、認証ユニットの認証結果によらない印刷データの情報であることを特徴とする請求項１に記載の画像形成装置。
【請求項３】
前記制御部は、
前記第１の画面に表示された印刷データの印刷指示を受け付け可能であり、
前記第２の画面に表示された印刷データの印刷指示を受け付け可能であり、
前記第２の画面に表示された印刷データの送信指示を受け付け可能であることを特徴とする請求項１または２に記載の画像形成装置。
【請求項４】
印刷の実行が指定された印刷データとは、外部装置のドライバにより印刷コマンドが付与された印刷データであり、
印刷データの保存が指定された印刷データとは、外部装置のドライバにより保存コマンドが付与された印刷データであることを特徴とする請求項１乃至３のいずれか１項に記載の画像形成装置。
【請求項５】
前記制御部は、
前記第２のモードが設定されている状態において、印刷の実行が指定された第１の印刷データを外部装置から取得し、前記表示ユニットにより表示される第２の画面において印刷指示ができるように、取得した第１の印刷データを前記格納ユニットに格納させる処理と、
前記第２のモードが設定されている状態において、前記第１の印刷データと取得元が異なる第２の印刷データを取得し、取得した印刷データに基づき前記画像形成部に画像形成させる処理と、を実行することを特徴とする請求項１乃至４のいずれか１項に記載の画像形成装置。
【請求項６】
送信ユーザの送信指示に基づき印刷データを送信する外部装置と通信可能な画像形成装置であって、印刷データを格納可能な格納ユニットと、印刷データに基づき画像形成する画像形成ユニットと、を用いる画像形成装置の制御方法において、
第１のモードと第２のモードを含む複数のモードの中から１つのモードの設定を受け付ける処理と、
前記第１のモードが設定されている状態において、印刷の実行が指定された印刷データを外部装置から取得し、取得した印刷データに基づき前記画像形成部に画像形成させる処理と、
前記第１のモードが設定されている状態において、データの保存が指定された印刷データを外部装置から取得し、前記表示ユニットにより表示される第１の画面において印刷指示ができるように、取得した印刷データを前記格納ユニットに格納させる処理と
前記第２のモードが設定されている状態において、印刷の実行が指定された印刷データを外部装置から取得し、前記表示ユニットにより表示される第２の画面において印刷指示ができるように、取得した印刷データを前記格納ユニットに格納させる処理と、
前記第２のモードが設定されている状態において、印刷の保存が指定された印刷データを外部装置から取得し、前記表示ユニットにより表示される前記第１の画面において印刷指示ができるように、取得した印刷データを前記格納ユニットに格納させる処理と、を有することを特徴とする画像形成装置の制御方法。
【請求項７】
送信ユーザの送信指示に基づき印刷データを送信する外部装置と通信可能な画像形成装置であって、印刷データを格納可能な格納ユニットと、印刷データに基づき画像形成する画像形成ユニットと、を用いる画像形成装置のコンピュータに、
第１のモードと第２のモードを含む複数のモードのなかから１つのモードの設定を受け付ける処理と、
前記第１のモードが設定されている状態において、印刷の実行が指定された印刷データを外部装置から取得し、取得した印刷データに基づき前記画像形成部に画像形成させる処理と、
前記第１のモードが設定されている状態において、データの保存が指定された印刷データを外部装置から取得し、前記表示ユニットにより表示される第１の画面において印刷指示ができるように、取得した印刷データを前記格納ユニットに格納させる処理と、
前記第２のモードが設定されている状態において、印刷の実行が指定された印刷データを外部装置から取得し、前記表示ユニットにより表示される第２の画面において印刷指示ができるように、取得した印刷データを前記格納ユニットに格納させる処理と、
前記第２のモードが設定されている状態において、印刷の保存が指定された印刷データを外部装置から取得し、前記表示ユニットにより表示される前記第１の画面において印刷指示ができるように、取得した印刷データを前記格納ユニットに格納させる処理と、を実行させることを特徴とするプログラム。
【手続補正２】
【補正対象書類名】明細書
【補正対象項目名】０００８
【補正方法】変更
【補正の内容】
【０００８】
本発明は、送信ユーザの送信指示に基づき印刷データを送信する外部装置と通信可能な画像形成装置であって、印刷データを格納可能な格納ユニットと、印刷データに基づき画像形成する画像形成ユニットと、を用いる画像形成装置において、制御部を有し、前記制御部は、第１のモードと第２のモードを含む複数のモードのなかから１つのモードの設定を受け付ける処理と、前記第１のモードが設定されている状態において、印刷の実行が指定された印刷データを外部装置から取得し、取得した印刷データに基づき前記画像形成部に画像形成させる処理と、前記第１のモードが設定されている状態において、データの保存が指定された印刷データを外部装置から取得し、前記表示ユニットにより表示される第１の画面において印刷指示ができるように、取得した印刷データを前記格納ユニットに格納させる処理と、  前記第２のモードが設定されている状態において、印刷の実行が指定された印刷データを外部装置から取得し、前記表示ユニットにより表示される第２の画面において印刷指示ができるように、取得した印刷データを前記格納ユニットに格納させる処理と、前記第２のモードが設定されている状態において、印刷の保存が指定された印刷データを外部装置から取得し、前記表示ユニットにより表示される前記第１の画面において印刷指示ができるように、取得した印刷データを前記格納ユニットに格納させる処理と、を実行することを特徴とするものである。